(57)【特許請求の範囲】
【請求項１】
流動性物質を収容するための内部空間を形成する収容部及びその収容部の内部空間内に連通する開口部を備える容器本体と、前記容器本体の前記開口部に一体若しくは着脱可能に設けられてこの開口部を塞ぐと共に前記流動性物質の吐出口が形成された蓋部と、を備え、前記蓋部は、前記容器本体から移動してくる前記流動性物質を収容可能で且つ前記吐出口に通じる収容室と、前記収容室の径方向の中央付近に位置し前記吐出口に内部側から密着してこの吐出口を閉塞する栓体と、この栓体を支持する弾性体と、を有し、前記弾性体は、前記栓体を中心にして放射状に広がる波形バネ状部をなし、盤であって、その外側が前記蓋部内壁に全周に渡って密に固定され、前記収容室内と前記弾性体裏側の空間を遮断隔離し、その弾性伸縮によって、前記栓体を、前記収容室内の圧力が高くなると前記吐出口から離れる方向に移動し、前記室内の圧力が低くなると前記吐出口を閉塞する方向に移動するように前記栓体を支持していることを特徴とする流動性物質保存容器。
【請求項２】
前記吐出口の閉口時において前記栓体の前記離れる方向への移動を規制するストッパーを設けたことを特徴とする請求項１に記載した流動性物質保存容器。
【請求項３】
前記吐出口の外形が管状若しくは錐状となるように、前記吐出口部分が流動性物質の取出方向に向けて突出していることを特徴とする請求項１乃至２のいずれか１項に記載した流動性物質保存容器。
【請求項４】
前記蓋部または容器本体に対し、容器内の圧力を高くすることが出来るポンプ機構を備えることを特徴とする請求項１乃至３のいずれか１項に記載した流動性物質保存容器。
【請求項５】
流動性物質保存容器の開口部に着脱可能に設けられて、この開口部を塞ぐと共に前記流動性物質の吐出口が形成された蓋であって、前記容器本体から移動してくる前記流動性物質を収容可能で且つ前記吐出口に通じる収容室と、前記収容室の径方向の中央付近に位置し前記吐出口に内部側から密着してこの吐出口を閉塞する栓体と、この栓体を支持する弾性体と、を有し、前記弾性体は、前記栓体を中心にして放射状に広がる波形バネ状部をなし、盤であって、その外側が前記蓋部内壁に全周に渡って密に固定され、前記収容室内と前記弾性体裏側の空間を遮断隔離し、その弾性伸縮によって、前記栓体を、前記収容室内の圧力が高くなると前記吐出口から離れる方向に移動し、前記室内の圧力が低くなると前記吐出口を閉塞する方向に移動するように前記栓体を支持していることを特徴とする流動性物質保存容器の蓋。
【発明の詳細な説明】
【技術分野】
【０００１】
本発明は、液体やゼリー状物質等の流動性物質を内部に保存する流動性物質保存容器に係り、特に流動性物質を内部から外部に導く出口を持つ蓋部及びその蓋部を備えた流動性物質保存容器の構造に関する。
【背景技術】
【０００２】
従来の流動性物質保存容器は、収容物を取出す際、吐出口が開放状態であるため、外気が容器内部に流入して収容物が常に空気に接触して酸化、また、吐出口周辺に付着し変質した汚物の容器内部への侵入を防止することができず、このため、容器内部の収容物の品質を低下させるなどの現象が起こっていた。
外気の流入を防ぐ容器として、例えば特許文献１や特許文献２に記載された容器がある。いずれの場合も、容器の可撓性材料でつくられた収容部を握り、収容物に圧力を加えると、その圧力で弁部を変形または移動して吐出口を開き、圧力を取り除くと吐出口を閉じる、逆止弁構造の作用により外気の流入を防止している。
【０００３】
特許文献１に記載の容器は、樹脂等により形成された弾力性を有し一端部に押出口が形成されたチューブ状の容器本体と、前記押出口を塞いで設けられた中栓と、前記中栓の中心に設けられ前記押出口の外側へ突出する中栓突起と、前記中栓に設けられ容器本体の内側と外側を連通する透孔と、柔らかい樹脂やゴムで形成され、弾力性を有し前記押出口の周縁部と中栓突起の側面に密着するノズル部材とが設けられている。
【０００４】
容器本体の側面を押すと容器本体の収容物の圧力が高まり、収容物の圧力によりノズル部材が外側に弾性変形し、中栓突起とノズル部材の間に隙間が生じ、注出口から収容物が押出される。
容器側面の押圧をやめると、容器本体に押されて生じた変形を元に戻す力が働き、容器内部が負圧となって、ノズル部材の変形が復元して中栓突起に密着して空気の流入を防ぐ逆流防止容器である。
【先行技術文献】
【特許文献】
【０００５】
【特許文献１】特許第３４９２６００号公報
【特許文献２】実公昭５８−２１３９９号公報
【発明の概要】
【発明が解決しようとする課題】
【０００６】
特許文献１に記載された発明の第一実施形態によれば、注出口の開閉は、ノズル部材の薄肉部が伸長する変形によって可能となっているが、ノズル部材の伸縮変形可能という素材の性質だけをもって、中栓突起とノズル部材の間に、収容物を吐出するのに十分な隙間を生じさせることは難しく、ノズル部材は柔らかいゴム状の素材で作る必要があるため、気密を保持するのに必要な、適度な硬さや強度をもったノズル部材を作ることが出来なかった。そのため、ノズル部材に不用意に手が触れたりした場合に、ノズル部材が簡単に変形したり脱落して、気密性が損なわれるという問題があった。
また、特許文献１に記載された発明の第二実施形態によれば、ノズル部材の形状に、Ｖ字型にくぼむ屈曲部を設けているが、この形状では開口状態から閉口状態に自動的に復帰することは極めて難しい問題があった。
【０００７】
また、特許文献２に記載された容器では、容器本体の開口部に、この開口部を塞ぐとともに中央部に吐出口を有するシリンダーと当該吐出口をシリンダー内部側から密着して閉塞する栓体を備えたピストンを有する蓋部が設けられている。前記栓体及びピストンは前記吐出口に向かってバネで付勢されている。容器の収容部に圧力を加えると、シリンダー内に充満した収容物の圧力でピストンが移動して、吐出口から栓体が離れて開口し収容物を吐出する。容器の収容部の圧力を取り除くとシリンダーは元の位置に戻って栓体が吐出口を塞ぐ。この容器は構造が複雑でコストが高く、また、シリンダーとピストンの間に収容物が入り、誤作動や不具合を生ずる恐れがあった。
本発明は、このような従来容器の課題を解決することを目的としてなされたものである。
【課題を解決するための手段】
【０００８】
上記目的を達成するために、本発明の一実施形態は、流動性物質を収容するための内部空間を形成する収容部及びその収容部の内部空間内に連通する開口部を備える容器本体と、前記容器本体の前記開口部に一体若しくは着脱可能に設けられてこの開口部を塞ぐと共に前記流動性物質の吐出口が形成された蓋部と、を備え、前記蓋部は、前記容器本体から移動してくる前記流動性物質を収容可能で且つ前記吐出口に通じる収容室と、前記収容室の径方向の中央付近に位置し前記吐出口に内部側から密着してこの吐出口を閉塞する栓体と、この栓体を支持する弾性体と、を有し、前記弾性体は、前記栓体を中心にして放射状に広がる波形バネ状部をなし、盤であって、その外側が前記蓋部内壁に全周に渡って密に固定され、前記収容室内と前記弾性体裏側の空間を遮断隔離し、その弾性伸縮によって、前記栓体を、前記収容室内の圧力が高くなると前記吐出口から離れる方向に移動し、前記室内の圧力が低くなると前記吐出口を閉塞する方向に移動するように前記栓体を支持していることを特徴とする。
【０００９】
この実施形態によれば、前記吐出口は、常態時においては栓体が密着して閉口状態であり、収容物の流動性物質を取り出すために、容器本体に圧力をかけると、流動性物質によって前記栓体の少なくとも前記吐出口に接する部分が吐出口から離れる方向に移動して吐出口が開く。容器本体の圧力を取り除くと前記栓体は元の形状に戻って吐出口に密着し、閉口状態となるので、外気の侵入や、一旦外に出た流動性物質の逆流を防ぐことによって、容器内部の物質の変質を抑制することができる。また、収容物を取出し後に、出口周辺を掃除する場合に、出口が密閉状態なので安心して簡単に作業ができ、常に清潔に保つことが可能である。
【００１０】
また、本発明の一実施形態では、前記吐出口の閉口時に前記栓体の前記離れる方向への移動を規制するストッパーを設けてもよい。
また、本発明の一実施形態では、前記栓体が前記吐出口から離れる方向に移動し、前記室内の圧力が低くなると前記栓体が前記吐出口を閉塞する方向に移動する栓体の動作を、手動によって操作可能なレバーを蓋部に設けてもよい。
また、本発明の一実施形態では、前記吐出口の外形が管状若しくは錐状となるように、前記吐出口部分が流動性物質の取出方向に向けて突出するようにしてもよい。
【００１１】
さらに、収容物を取出した後に、出口周辺を掃除する場合に、出口が密閉状態なので安心して簡単に作業ができ、常に清潔に保つことが可能である。
さらに、本発明の実施形態では、前記収容部の内側に流動性物質を収容する内部空間を有する内袋を配置し、前記内袋と前記容器本体収容部外壁との間に空間部を形成し、この空間部を外気と連通させてもよい。
さらに、本発明の実施形態では、前記収容部の内側に、空気を収容する内部空間を有する内袋を配置し、この空間部を外気と連通させてもよい。
【００１２】
さらに、本発明の実施形態では、前記注出口の閉口後に、この注出口の縁に流動性物質が付着残存した場合、これを除去する吸収材を設けてもよい。
さらに、本発明の実施形態では、前記蓋部または容器本体に対し、容器内の圧力を高くすることが出来るポンプ機構を備えてもよい。
さらに、本発明の実施形態では、前記蓋部の表面に酸素バリア性の高いプラスチック製または金属製の薄膜を付着し、酸素透過を防止して酸化防止効果を高めてもよい。
【００１３】
上記目的を達成するために、本発明の他の実施形態は、流動性物質保存容器の開口部に着脱可能に設けられて、この開口部を塞ぐと共に前記流動性物質の吐出口が形成された蓋であって、前記容器本体から移動してくる前記流動性物質を収容可能で且つ前記吐出口に通じる収容室と、前記収容室の径方向の中央付近に位置し前記吐出口に内部側から密着してこの吐出口を閉塞する栓体と、この栓体を支持する弾性体と、を有し、前記弾性体は、前記栓体を中心にして放射状に広がる波形バネ状部をなし、盤であって、その外側が前記蓋部内壁に全周に渡って密に固定され、前記収容室内と前記弾性体裏側の空間を遮断隔離し、その弾性伸縮によって、前記栓体を、前記収容室内の圧力が高くなると前記吐出口から離れる方向に移動し、前記室内の圧力が低くなると前記吐出口を閉塞する方向に移動するように前記栓体を支持していることを特徴とする。
【発明の効果】
【００１４】
本発明の実施態様によれば、容器本体の圧力を取り除くと前記栓体は元の形状に戻って吐出口に密着し、閉口状態となるので、外気の侵入や、一旦外に出た流動性物質の逆流を防ぐことによって、容器内部の物質の変質を抑制することができる。また、収容物を取出し後に、出口周辺を掃除する場合に、出口が密閉状態なので安心して簡単に作業ができ、常に清潔に保つことが可能である。
【図面の簡単な説明】
【００１５】
【図１】本発明に基づく実施形態１に係る流動性物質保存容器の断面図である。
【図２】（１）は図１の頭部（円形点線部）を抜書きしたものであり、外蓋を外した状態を示し、同（２）は中蓋２の平面図であり、同（３）は栓体３の平面図であり、同（４）は蓋本体５の平面図である。
【図３】吐出口７が開口した状態を示す断面図である。
【図４】本発明に基づく実施形態３に係る流動性物質保存容器の断面図である。
【図５】本発明に基づく実施形態２に係る流動性物質保存容器の断面図である。
【図６】前記図５のストッパーを所定の位置に移動して、栓体３の固定を解除した状態を示す断面図である。
【図７】栓体３の固定を解除した状態で、栓体３が移動し、吐出口７が開口した状態を示す断面図である。
【図８】本発明に基づく実施形態５に係る流動性物質保存容器の断面図である。
【図９】本発明に基づく実施形態６に係る流動性物質保存容器の断面図である。
【図１０】本発明に基づく実施形態６に係る流動性物質保存容器の断面図である。
【図１１】本発明に基づく実施形態６に係る流動性物質保存容器の断面図である。
【発明を実施するための形態】
【００１６】
次に、本発明の実施形態について、図面を参照しつつ説明する。
（実施形態１）
図１は、本実施形態に係る流動性物質保存容器の断面図である。図２の（１）は、図１の円形点線部を抜き書きしたものであり、外蓋１を取り外した状態である。吐出口７に栓体３が密着し、吐出口７が閉じている状態を示す図である。（２）は、中蓋２の平面図である。（３）は、栓体３の平面図である。（４）は、蓋本体５の平面図である。図３は、流動性物質保存容器の吐出口７が開いている状態を示す図である。
【００１７】
図１に示す流動性保存容器は、チューブ状容器であって、チューブ状の容器本体６と、蓋部とを備える。容器本体６は、可撓性を有する収容部６bと、開口部６aを備える。収容部６bは、内部に密閉した内部空間を有する袋状に形成されている。その内部空間に、液体やゼリー状物質などの流動性物質が充填状態で収容されている。
また、開口部６aは収容部６bの一端部に設けられ、収容部６bが形成する内部空間に連通する。
【００１８】
容器本体６の開口部６aに対し、開口部６aを塞ぐ形で蓋本体５が取り付けられている。容器本体６と蓋本体５の接合部１０は、其々に相対する形のネジが形成されており、螺合されている。
前記蓋部は、蓋本体５が筒状に形成され、収容物を取り出す方向の一端部に中蓋２が取り付けられており、他端部（開口部６aの側）には、底板２０が備えられており、蓋本体５の内部に空間を形成している。
【００１９】
蓋本体５の内部中央付近に円柱または多角柱の栓体３が配置され、栓体３は、栓体３の所定の部位から放射状に広がる波形バネ状部８の外側が蓋本体５の内壁に全周に渡って密に固定されている。
中蓋２には、吐出口７が備えられており、常態時においては、吐出口７を内側から塞ぐ形で栓体３の突起部が密着している。
【００２０】
栓体３の前記突起部は、波形バネ状部８の弾性伸縮によって、吐出口７から離れる方向に移動を可能とし、これにより吐出口７が開閉される。
蓋本体５の内部空間は、栓体３及び栓体３の波形バネ状部８によって、Ａ室１７とＢ室１８とに仕切られて完全に遮断隔離されており、Ａ室１７は、流出孔１９を通じて収容部６bに連通し、Ｂ室１８は蓋本体空気口４を通じて外気に連通している。
【００２１】
収容物の流動性物質を取出すために、収容部６bに圧力をかけると、収容部６b内の収容物が流出孔１９を通り抜けてＡ室１７に移動し  、Ａ室１７に充満した収容物の圧力によって波形バネ状部８が撓み変形して、栓体３の吐出口７に接する部分が、吐出口７から離れる方向に移動し、吐出口７が開口し、吐出口７から収容物が取出される。
収容部６bから圧力を取り除くと、収容部６bが元の形に戻ろうとする力によって、収容部６b内部及びＡ室１７が負圧となる。
【００２２】
栓体３は波形バネ状部８の弾性復元力によって元の形に戻り、吐出口７を再び閉塞する。Ｂ室１８は、蓋本体空気孔４を通じて外気に連通しているのでＢ室内の空気圧は外気と常に同じであり、栓体３の変形・移動を妨げることはない。
これらの図が示す通り、吐出口７から一旦外部に出た収容物の逆流や、外気が吐出口７内に流入することがない。  収容物を取り出した後に吐出口周辺を清掃する場合、吐出口７が密閉状態なので、残存する収容物や汚れが吐出口７から入る心配が全くない。
【００２３】
閉口時において、中蓋２の吐出口周辺表面と、栓体３先端の表面は連続して一つの面を形成し、その間には凹凸や隙間などの無い形状なので汚れにくく、簡単に清掃できるので常に清潔な状態を保つことが出来る。
更に、収容物が練歯磨など水溶性物質の場合、水に容器を浸して水洗いすることも可能であり、収容物が油性物質の場合は、その収容物に適応する洗浄液等で洗浄しても吐出口７から洗浄液や汚れが入らない。
【００２４】
閉口時に中蓋２の表面と栓体３の先端表面が一つの平面になるように形成すると、指先、ガラス棒、スプーン、箸、筆などに収容物を移し取って使用する場合などに最適である。また、中蓋２の表面と栓体３の先端表面を一つの凹面に形成し、収容物を一時的にそこに溜め、色、香り、容量などを確認するようにしても良い。中蓋２の表面に目盛を表記するなどして、収容物を取り出す時にその容量を簡易的に量れるようにしても良い。
また、収容物が肌へ直接塗布する薬剤やスキンクリーム等の場合、中蓋２の表面と栓体３の先端表面を一つの球面凸状にして、肌に直接塗布しやすくするなど、目的に応じて様々な形状にしても良い。
（実施形態２）
【００２５】
本実施形態は、実施形態１における波形バネ状部８を可撓性及び弾性のある材料により形成することによって波形に限らず、所定の最適な形状に形成する。この場合、栓体３を吐出口７に向けて付勢する力を補う、螺旋状・板状など所定の形状のバネを所定の場所に設けても良い。
（実施形態３）
【００２６】
図４は、本実施形態３を説明するための図である。本実施形態３は、実施形態１の構造に加え、内袋１４を設け、容器本体６と内袋１４との間に空間１４ｂを備え、容器本体空気孔１２を設けている。
収容物を取り出した後に、容器本体６の圧力を取り除くと、内袋１４は取り出した収容物の容積と同じ容積分変形したままであるが、容器本体６の外形は、自らの復元力で、空気孔１２を通じて空間１４ｂに外気を取り込み、元の形状に戻る。
内袋１４の中には外気が入らないので、収容物と外気の接触が防止され、容器の本体６の外形は初期の形状が維持される。
【００２７】
更に収容物を取り出す際は、空気口１２を指で塞いで圧力を加える。または、空気孔１２をあらかじめ逆止弁構造としておいても良い。本実施形態の容器は、収容物を取出した後も、収容部６bが元の形に復元するので容器本体６の外観が変らず、収容物を使い切るまで容器の美観が失われない。また、収容部６bが常に元の同じ形なので、手で握って収容物を取出す際に操作がしやすい。
（実施形態４）
【００２８】
図５、図６、図７は、本実施形態４を説明するための図である。基本構成は、前記各実施形態と同じであるが、前記各実施形態の構造に加え、ストッパー１１を設けている。図５は、常態時（閉口時）の栓体３が吐出口７に密着して固定された状態を示す。図６は、ストッパー１１を移動して栓体３の固定を解除した状態を示している。図７は、栓体３の固定が解除された状態において、収容部６bに圧力が加えられ、収容物の圧力で前記栓体３の前記吐出口７に接する中央部分が吐出口７から離れる方向に移動して吐出口７が開口した状態を示している。
【００２９】
図６の状態において、常態時に、吐出口７は、栓体３の吐出口７側に働く弾性復元力により栓体３が密着して閉塞されているが、図５の状態では、ストッパー１１によって栓体３を固定しており、閉口状態を更に確実にする。容器を外出時に持ち歩く場合や収容物を長期間使用しない場合など、密閉を完全に確保しておきたい場合に有効である。
【００３０】
また、収容物が高粘度で、栓体３自らの弾性復元力のみで、栓体３を吐出口７に密着する位置まで移動復元しにくいような場合に、ストッパー１１を元の位置まで移動することによって、その移動を補助できる。これによって、かなり高粘度の流動性物質も保存可能となる。これらの図では、スライド式のストッパーを示しているが、ストッパーの形状や仕組みは、栓体３の動作を手指で補助及び制御するどのような形状であっても良い。例えば、この図５〜６においてのストッパーは、栓体３を吐出口７に密着する方向へのみ移動を補助する形になっているが、往復運動を補助する形にしても良い。但しこの場合は、上記容器内の圧力がこの容器外の圧力よりも低い状態で吐出口７を開口すると内容物が逆流するので注意が必要である。
（実施形態５）
【００３１】
図８は、本実施形態５を説明するための図である。本実施形態５では、前記各実施形態（図１〜図７）の場合に平坦であった中蓋２の吐出口外形が、蓋本体５側から収容物の取出し方向に向けて、管状もしくは錐状に突出した形に形成されている。
収容物を目的とする場所に吐出口７から直接移しかえる場合に便利な形状である。吐出口７の先端部に、収容物を取出す際に収容物表面に波形など飾り形を付けたり、繊細な作業をするための補助具を別途装着しても良い。
（実施形態６）
【００３２】
基本構成は、前記各実施形態と同様であるが、蓋本体５にポンプ機構を設けた点が異なる。図９と図１０及び図１１は、本実施形態６の構成を示す図である。
図９に示す例では、中蓋２と底板２０の間に、ポンプ機構を介装した。そのポンプ機構には、Ａ室１７、Ｂ室１８、加圧部（ポンプ弾性部２１、押しボタン２２）、逆止弁１６を備える。
前記逆止弁１６は、流出孔１９に配置され、前記蓋本体５の側面に加圧部が設けられている。加圧部は、前記蓋本体５の側面から張り出した波形バネ状の、反復して撓み変形可能なポンプ弾性部２１と、そのポンプ弾性部２１の先端に設けられて、ポンプ弾性部２１よりも肉厚の押しボタン２２とからなる。
【００３３】
逆止弁１６は、常態では閉じており、指等で押しボタン２２を押すと蓋本体Ａ室１７の内圧が高まり、その圧力で栓体３の吐出口７に接する部分が、吐出口７から離れる方向に移動し、吐出口７が開いて収容物が押し出される。
押しボタン２２を放すと押しボタン２２はポンプ弾性部の弾性復元力によって元の位置に戻り、Ａ室１７が負圧となって栓体３は元の形に戻って吐出口７が閉口し、逆止弁１６が開いて容器本体６の収容物がＡ室１７に移動する。
【００３４】
前記説明では、蓋本体５の側面に加圧部を設ける場合を例示したが、加圧部を設ける代わりに、蓋本体５の側壁全体を弾性体から構成しても良い。この場合は、蓋本体自体を押し及び放すことで、上述ポンプ作用が発揮される。
または、図１０に示すように蓋本体５に対してＡ室１７に連通する弾性体からなる風船部１５を設けても良い。この場合、風船部１５を押しつぶして吐出口７から収容物を取出し、風船部１５への押圧を解除することで容器本体６からＡ室１７に収容物を移動させる。
【００３５】
前記のように本実施形態では、収容物を取出す際に、容器本体６に圧力を掛けて当該容器本体６を変形させる必要は無い。このため、実施形態２の内袋１４を設けた容器の場合は、容器本体６が可撓性でなくても良い。例えば、容器本体６を硬質のガラスや金属から構成することが可能となる。また、風船部１５を１回握り潰す毎の吐出量を設定し、風船部を握り潰す回数によって収容物の取出し量を簡易的に計量しながら取出すようにしても良い。使用時に取出す量を計量して取出したい調味料や医薬品等に用いて便利である。
また、図１１に示すように、容器本体空気口１２に、空気逆止弁２３を設けた風船部１５を取り付けても良い。容器本体と内袋の間の空間１４bに流入する空気の量を風船部１５により制御することによって、収容物を取り出す量を制御することが可能となる。
【００３６】
本明細書では、外蓋１を蓋本体５に取り付ける方法を嵌合で取り付ける場合を例示しているが、これは一例であって、ヒンジ式、ねじ込み式等であっても良い。
本明細書では、蓋本体５と容器本体６の接合部１０は、ねじ込み式となっているが、嵌合で取り付けるか、熱融着等による固定的な結合でも良い。
蓋部の材料は、保存する流動性物質の性質や使用形態を考慮して、合成樹脂、金属、カーボン繊維など様々な材料を選んで使用する。また、吐出口７または注出口２６の外側に、保存する収容物を弾く性質の物質をあらかじめ塗布する等、付着しておくことによって、収容物が付着残存し難いようにしても良い。
【００３７】
本発明の範囲は、図示され記載された例示的な実施形態に限定されるものではなく、本発明が目的とするものと均等な効果をもたらすすべての実施形態をも含む。さらに、本発明の範囲は、請求項１により画される発明の特徴の組み合わせに限定されるものではなく、すべての開示されたそれぞれの特徴のうち特定の特徴のあらゆる所望する組み合わせによって画されうる。
【産業上の利用可能性】
【００３８】
本発明は、液体やゼリー状物質等の流動性物質を内部に保存する流動性物質保存容器として好適に利用できる。
【符号の説明】
【００３９】
１    外蓋
２    中蓋
３    栓体
４    蓋本体空気孔 
５    蓋本体
６    容器本体
６a   収容部 
６b   開口部 
７    吐出口
８    波形バネ状部 
９    中蓋と蓋本体の接合部 
１０  蓋本体と容器本体の接合部 
１１  ストッパー
１２  容器本体空気孔 
１３  容器本体と内袋の間の空間 
１４  内袋
１５  風船部
１６  逆止弁
１７  Ａ室
１８  Ｂ室
１９  流出孔
２０  仕切板
２１  ポンプ弾性部 
２２  押しボタン
２３  ポンプ逆止弁
【図１】
0005994112.tif 000002
【図２】
0005994112.tif 000003
【図３】
0005994112.tif 000004
【図４】
0005994112.tif 000005
【図５】
0005994112.tif 000006
【図６】
0005994112.tif 000007
【図７】
0005994112.tif 000008
【図８】
0005994112.tif 000009
【図９】
0005994112.tif 000010
【図１０】
0005994112.tif 000011
【図１１】
0005994112.tif 000012
【図１２】
0005994112.tif 000013
【図１３】
0005994112.tif 000014
【図１４】
0005994112.tif 000015
【図１５】
0005994112.tif 000016
【図１６】
0005994112.tif 000017
【図１７】
0005994112.tif 000018
【図１８】
0005994112.tif 000019
【図１９】
0005994112.tif 000020
【図２０】
0005994112.tif 000021
【図２１】
0005994112.tif 000022